(57)【要約】【課題】光源ユニットを器具本体に取り付け容易にすること。【解決手段】実施形態に係る照明装置は、光源ユニットと、器具本体と、配線部と、バネ部とを具備する。器具本体は、光源ユニットが取り付けられる。配線部は、光源ユニットと器具本体とを電気的に接続し、可撓性を有する。バネ部は、器具本体に対して配線部を回動可能に保持するとともに、所定位置までは配線部を光源ユニットから離れる離間方向に付勢する。また、バネ部は、所定位置よりも離間方向では、配線部によって離間方向に押し込まれる。【選択図】図１
2019061807.tif 000002
【特許請求の範囲】
【請求項１】
光源ユニットと、
前記光源ユニットが取り付けられる器具本体と；
前記光源ユニットと前記器具本体とを電気的に接続する可撓性の配線部と；
前記器具本体に対して前記配線部を回動可能に保持するとともに、所定位置までは前記配線部を前記光源ユニットから離れる離間方向に付勢するバネ部と；
を具備し、
前記バネ部は、
前記所定位置よりも前記離間方向では、前記配線部によって前記離間方向に押し込まれる
ことを特徴とする照明装置。
【請求項２】
前記バネ部は、
前記所定位置よりも前記離間方向の所定領域において前記配線部を付勢しない
ことを特徴とする請求項１に記載の照明装置。
【請求項３】
前記バネ部は、
前記所定領域よりも前記離間方向において前記配線部を前記光源ユニット側に付勢する
ことを特徴とする請求項２に記載の照明装置。
【請求項４】
前記バネ部は、
前記配線部に付勢力を発生させるタイミングが異なる複数のバネを含み、前記配線部に対し、前記配線部の回動量に応じて前段階的に付勢力を発生させる
ことを特徴とする請求項１から３のいずれか一つに記載の照明装置。
【請求項５】
前記バネ部は、
一方の端部が前記配線部を保持し、他方の端部が前記器具本体に係合可能な複数の捩りコイルバネであり、
各他方の端部は、
前記器具本体に形成された異なる孔に挿入され、回動範囲が異なる
ことを特徴とする請求項４に記載の照明装置。
【請求項６】
前記バネ部は、
硬さが異なる複数のバネである
ことを特徴とする請求項１から５のいずれか一つに記載の照明装置。
【発明の詳細な説明】
【技術分野】
【０００１】
本発明の実施形態は、照明装置に関する。
【背景技術】
【０００２】
従来、電源回路と光源とを一体で備える照明装置が知られている。また、照明装置では、光源を含む光源ユニットを器具本体に着脱可能とし、光源ユニットを変更することで、色味や配光などを変更することができる。
【０００３】
光源ユニットを器具本体に取り付ける場合には、光源ユニットと器具本体とを電気的に接続する可撓性の配線を用いることが知られている。可撓性の配線を用いる場合には、まず、可撓性の配線が器具本体から引き出され、配線に設けたコネクタを光源ユニットの差し込み口に差し込むことで、光源ユニットと器具本体とが電気的に接続される。そして、配線が器具本体内に戻されつつ、光源ユニットが器具本体に取り付けられる。その際、配線が、例えば光源ユニットと器具本体との間に挟まり、または配線が器具本体に当接することがある。そのため、作業者は、配線を手動で器具本体に押し込みながら、光源ユニットを器具本体に取り付けている。
【先行技術文献】
【特許文献】
【０００４】
【特許文献１】特開２０１０−１６００３号公報
【発明の概要】
【発明が解決しようとする課題】
【０００５】
本発明が解決しようとする課題は、光源ユニットを器具本体に取り付け容易な照明装置を提供することである。
【課題を解決するための手段】
【０００６】
実施形態に係る照明装置は、光源ユニットと、器具本体と、配線部と、バネ部とを具備する。器具本体は、光源ユニットが取り付けられる。配線部は、光源ユニットと器具本体とを電気的に接続し、可撓性を有する。バネ部は、器具本体に対して配線部を回動可能に保持するとともに、所定位置までは配線部を光源ユニットから離れる離間方向に付勢する。また、バネ部は、所定位置よりも離間方向では、配線部によって離間方向に押し込まれる。
【図面の簡単な説明】
【０００７】
【図１】図１は、実施形態に係る照明装置の構成を示す斜視図である。
【図２】図２は、実施形態に係る照明装置の一部を分解した分解図である。
【図３】図３は、照明装置の一部を切断した断面図である。
【図４】図４は、器具本体の筐体を省略した斜視図である。
【図５】図５は、器具本体の筐体を省略し、第１室側を拡大した斜視図である。
【図６】図６は、バネ部付近を拡大した斜視図である。
【図７】図７は、バネ部による付勢力の発生状態を説明する概略図である。
【図８】図８は、器具本体の下方斜視図である。
【発明を実施するための形態】
【０００８】
以下で説明する実施形態に係る照明装置１は、光源ユニット２と、器具本体３と、配線１９（配線部に相当）と、バネ部１５とを具備する。器具本体３は、光源ユニット２が取り付けられる。配線１９は、光源ユニット２と器具本体３とを電気的に接続し、可撓性を有する。バネ部１５は、器具本体３に対して配線１９を回動可能に保持するとともに、所定位置までは配線１９を光源ユニット２から離れる離間方向に付勢する。また、バネ部１５は、所定位置よりも離間方向では、配線１９によって離間方向に押し込まれる。
【０００９】
また、以下で説明する実施形態に係るバネ部１５は、所定位置よりも離間方向の第１領域Ａ（所定領域に相当）において配線１９を付勢しない。
【００１０】
また、以下で説明する実施形態に係るバネ部１５は、第１領域Ａよりも離間方向において配線１９を光源ユニット２側に付勢する。
【００１１】
また、以下で説明する実施形態に係るバネ部１５は、配線１９に付勢力を発生させるタイミングが異なる第１バネ１５ａと第２バネ１５ｂと（複数のバネに相当）を含み、配線１９に対し、配線１９の回動量に応じて段階的に付勢力を発生させる。
【００１２】
また、以下で説明する実施形態に係るバネ部１５は、長腕部１５ｈ、１５ｉ（一方の端部に相当）が配線１９を保持し、短腕部１５ｅ、１５ｇ（他方の端部に相当）が器具本体３に係合可能な複数の捩りコイルバネ１５ａ、１５ｂである。また、短腕部１５ｅ、１５ｇは、器具本体３に形成された異なる第１孔１４ａ、第２孔１８ｆ（孔に相当）に挿入され、回動範囲が異なる。
【００１３】
また、以下で説明する実施形態に係るバネ部１５は、硬さが異なる複数のバネである。
【００１４】
（実施形態）
図１〜図８を用いて、実施形態に係る照明装置１について説明する。
【００１５】
［実施形態に係る照明装置１の構成］
図１は、実施形態に係る照明装置１の構成を示す斜視図である。図２は、実施形態に係る照明装置１の一部を分解した分解図である。図３は、照明装置１の一部を切断した断面図である。なお、図１および図２では、透光カバー２１（図３参照）が省略されている。
【００１６】
ここでは、天井面に器具本体３を固定し、下方に向けて光を照射する照明装置１（シーリングライト）を一例として説明するが、これに限定されることはない。照明装置１は、天井面に設けられた丸穴や角穴などに器具本体３を挿入して固定し、下方に向けて光を照射する照明装置（ダウンライト）であってもよい。また、照明装置１は、天井面に限られず、壁面などに設けられてもよい。なお、ここでは、鉛直方向に沿った方向を上下方向とし、天井面側を上方、天井面とは反対側を下方として説明する。
【００１７】
照明装置１は、光源ユニット２と、器具本体３とを備える。光源ユニット２は、器具本体３に収容され、器具本体３に取り付けられる。
【００１８】
光源ユニット２は、光源部４と、放熱フィン５と、取付部６とを備える。光源部４は、発光素子、例えば、ＬＥＤが実装された光源基板（不図示）を収容する。配線１９に設けられたコネクタ１９ａ（図５参照）が光源部４の差し込み口（不図示）に挿入されることで、器具本体３と光源ユニット２とが電気的に接続される。
【００１９】
放熱フィン５は、光源部４の上方に設けられ、光源部４で発生する熱を放出し、光源部４の温度上昇を抑制する。
【００２０】
取付部６は、光源部４の上方に設けられ、上下方向に直交する平面における断面が円弧状となるように形成される。取付部６には、上下方向に延びる溝６ａと、溝６ａに連通し、周方向に延びる係合溝６ｂとが形成される。溝６ａおよび係合溝６ｂは、複数、例えば、２箇所形成される。
【００２１】
溝６ａには、光源ユニット２を器具本体３に取り付ける際に、器具本体３のユニット固定部１２の爪部１２ｂが上下方向に挿通される。また、ユニット固定部１２の爪部１２ｂを溝６ａの下端まで挿通した状態で、光源ユニット２を周方向に回転させることで、爪部１２ｂが係合溝６ｂに係合する。これにより、光源ユニット２が器具本体３に取り付けられる。
【００２２】
次に、器具本体３について、図３〜図６を参照し説明する。図４は、器具本体３の筐体１１を省略した斜視図である。図５は、器具本体３の筐体１１を省略し、第１室２０ａ側を拡大した斜視図である。図６は、バネ部１５付近を拡大した斜視図である。
【００２３】
器具本体３は、天板１０と、筐体１１と、ユニット固定部１２と、電源基板収容部１３と、仕切板１４と、バネ部１５と、第１バネ支持部１６と、第２バネ支持部１７と、接続部１８と、配線１９とを備える。
【００２４】
天板１０は、円形状に形成され、天井面に取り付けられる。筐体１１は、円筒状に形成される。筐体１１の上方の開口部は、天板１０の外周を覆うように形成される。筐体１１の内部は、水平方向に形成された仕切部１１ａによって、上方側の第１室２０ａと下方側の第２室２０ｂとに区画される。筐体１１の下方の開口部には、透光カバー２１が取り付けられる。
【００２５】
第１室２０ａには、電源基板収容部１３と、仕切板１４と、バネ部１５と、第１バネ支持部１６と、第２バネ支持部１７とが収容される。第２室２０ｂには、光源ユニット２が収容される。仕切部１１ａの中央付近には、配線１９が挿通される挿通孔１１ｂが形成される。
【００２６】
ユニット固定部１２は、仕切部１１ａに取り付けられる。ユニット固定部１２は、光源ユニット２の係合溝６ｂの数に応じて、複数、例えば、２つ設けられる。ユニット固定部１２は、突出部１２ａと、爪部１２ｂと、ガイド部１２ｃとを備える。ユニット固定部１２は、金属の板状部材をプレス加工することで形成される。
【００２７】
突出部１２ａは、上下方向に沿って第２室２０ｂに突出するように形成される。突出部１２ａは、取付部６の外周側に設けられる。爪部１２ｂは、突出部１２ａの下端から内側に向けて突出するように形成される。爪部１２ｂは、光源ユニット２の係合溝６ｂに係合する。
【００２８】
ガイド部１２ｃは、突出部１２ａの上方側から取付部６に沿って延びる腕部１２ｄと、腕部１２ｄの先端から下方に向けて延びる位置決め部１２ｅとを備える。すなわち、ガイド部１２ｃは、Ｌ字状に形成される。
【００２９】
下方側の位置決め部１２ｅは、外側に向けて傾斜しており、光源ユニット２の取り付けが容易となる。
【００３０】
電源基板収容部１３は、電源基板（不図示）を収容する。電源基板収容部１３は、仕切板１４に取り付けられる。電源基板には、配線１９が電気的に接続される。電源基板収容部１３には、配線１９が挿通される挿通孔１３ａが形成される。
【００３１】
仕切板１４は、天板１０に取り付けられる。仕切板１４は、天板１０から下方に向けて延び、第１室２０ａをさらに第３室２０ｃと第４室２０ｄとに区画する。第３室２０ｃには、電源基板収容部１３が収容される。第４室２０ｄには、電源基板収容部１３から引き回された配線１９や、バネ部１５などが収容される。仕切板１４は、金属の板状部材をプレス加工することで形成される。
【００３２】
バネ部１５は、第１捩りコイルバネ１５ａ（以下、「第１バネ１５ａ」という。）と、第２捩りコイルバネ１５ｂ（以下、「第２バネ１５ｂ」という。）と、配線保持部１５ｃとを備える。バネ部１５は、一本の線材を成形することで形成される。
【００３３】
第１バネ１５ａおよび第２バネ１５ｂは、各コイル１５ｄ、１５ｆの軸方向に沿って並んで配置される。第１バネ１５ａと第２バネ１５ｂとの間には、所定の隙間が形成される。第１バネ１５ａと第２バネ１５ｂとの間には、配線１９が配置される。
【００３４】
第１バネ１５ａは、第２バネ１５ｂよりも仕切板１４側に設けられる。第１バネ１５ａのコイル１５ｄには、第１バネ支持部１６が挿入される。第１バネ１５ａは、第１バネ支持部１６によって回動可能に支持される。
【００３５】
第１バネ１５ａの２つの腕部１５ｅ、１５ｈのうち、仕切板１４側の腕部１５ｅ（以下、「短腕部１５ｅ」という。）は、仕切板１４に形成される第１孔１４ａに挿入される。第１孔１４ａは、円弧状に形成されており、第１バネ１５ａの短腕部１５ｅは、第１孔１４ａ内を回動することができる。第１孔１４ａについての詳しい説明は後述する。
【００３６】
第１バネ１５ａは、短腕部１５ｅが第１孔１４ａの上方側の端部１４ａ１、または下方側の端部１４ａ２に係合すると付勢力を発生させる。すなわち、第１バネ１５ａは、短腕部１５ｅが第１孔１４ａの端部１４ａ１、１４ａ２に係合していない状態では、付勢力を発生させない。
【００３７】
第２バネ１５ｂのコイル１５ｆには、第２バネ支持部１７が挿入される。第２バネ１５ｂは、第２バネ支持部１７によって回動可能に支持される。
【００３８】
第２バネ１５ｂの２つの腕部１５ｇ、１５ｉのうち、第１バネ１５ａ側とは反対側の腕部１５ｇ（以下、「短腕部１５ｇ」という。）は、接続部１８に形成される第２孔１８ｆに挿入される。第２孔１８ｆは、円弧状に形成されており、第２バネ１５ｂの短腕部１５ｇは、第２孔１８ｆ内を回動することができる。第２孔１８ｆについての詳しい説明は後述する。
【００３９】
第２バネ１５ｂは、短腕部１５ｇが第２孔１８ｆの上方側の端部１８ｆ１、または下方側の端部１８ｆ２に係合すると付勢力を発生させる。すなわち、第２バネ１５ｂは、短腕部１５ｇが第２孔１８ｆの端部１８ｆ１、１８ｆ２に係合していない状態では、付勢力を発生させない。
【００４０】
配線保持部１５ｃは、第１バネ１５ａと第２バネ１５ｂとの間に形成される。具体的には、配線保持部１５ｃは、第１バネ１５ａの第２バネ１５ｂ側の腕部１５ｈ（以下、「長腕部１５ｈ」という。）および第２バネ１５ｂの第１バネ１５ａ側の腕部１５ｉ（以下、「長腕部１５ｉ」という。）に連続して形成される。配線保持部１５ｃは、下方に向けて窪んだＵ字状に形成され、配線１９を下方側から支持する。
【００４１】
バネ部１５は、各長腕部１５ｈ、１５ｉを、図３において破線で示す上限位置および下限位置の間で回動させることができる。上限位置は、長腕部１５ｈ、１５ｉが天板１０に当接する位置である。下限位置は、長腕部１５ｈ、１５ｉが、保護部材１８ｅに当接する位置である。このように、上限位置および下限位置により、長腕部１５ｈ、１５ｉの回動を規制することで、バネ部１５の劣化を抑制することができる。
【００４２】
第１バネ支持部１６は、仕切板１４から第４室２０ｄに向けて突出し、第１バネ１５ａを回動可能に支持する。第１バネ支持部１６は、第４室２０ｄにおける上下方向の中央付近に設けられる。第１バネ支持部１６は、仕切板１４と一体に形成され、金属の板状部材をプレス加工することで形成される。
【００４３】
第２バネ支持部１７は、接続部１８を介して仕切板１４に接続される。第２バネ支持部１７は、仕切板１４に向けて突出し、第２バネ１５ｂを支持する。第２バネ支持部１７は、第４室２０ｄにおける上下方向の中央付近に形成される。第２バネ支持部１７は、第１バネ支持部１６に対向するように設けられる。接続部１８および第２バネ支持部１７は、仕切板１４と一体に形成され、金属の板状部材をプレス加工することで形成される。
【００４４】
接続部１８は、仕切板１４の下端から第４室２０ｄに向けて突出するように形成される。接続部１８は、仕切板１４の下端から第４室２０ｄ内に延びる下面部１８ａと、下面部１８ａの先端から上方に向けて延びる側面部１８ｂと、側面部１８ｂの上端から仕切板１４に向けて延びる上面部１８ｃとを備える。
【００４５】
下面部１８ａには、配線１９が挿通される挿通孔１８ｄが形成される。挿通孔１８ｄには、配線１９が当接した場合に配線１９が擦れることを抑制するために保護部材１８ｅが設けられる。
【００４６】
側面部１８ｂには、仕切板１４に向けて突出する第２バネ支持部１７が形成される。また、側面部１８ｂには、第２孔１８ｆが形成される。
【００４７】
上面部１８ｃには、バネ部１５の長腕部１５ｈ、１５ｉおよび配線１９が上方側へ回動可能となるように切欠部１８ｇが形成される。また、上面部１８ｃには、配線１９を固定するための結束バンド２５ａが挿入される孔１８ｈが形成される。
【００４８】
配線１９は、可撓性を有し、屈曲自在である。配線１９は、電源基板収容部１３に収容された電源基板と光源部４に収容された光源基板とを電気的に接続する。配線１９の先端にはコネクタ１９ａが設けられる。コネクタ１９ａが光源部４の差し込み口に差し込まれることで、電源基板と光源基板とが電気的に接続される。
【００４９】
配線１９は、結束バンド２５ａによって接続部１８の上面部１８ｃに固定される。また、配線１９は、結束バンド２５ｂによって第１バネ１５ａの長腕部１５ｈおよび第２バネ１５ｂの長腕部１５ｉに固定される。このようにして、配線１９は、バネ部１５に保持され、各長腕部１５ｈ、１５ｉとともに回動する。なお、配線１９の固定方法は、結束バンド２５ａ、２５ｂ以外であってもよい。
【００５０】
光源ユニット２が器具本体３に取り付けられた状態では、配線１９の大部分は第４室２０ｄに収容されおり、配線１９は、バネ部１５を上方に押し込んでいる。配線１９は、光源ユニット２を器具本体３に脱着する場合には、下方に引き出される。
【００５１】
実施形態の器具本体３では、配線１９の回動に対し、バネ部１５による付勢力が段階的に変更される箇所が設けられる。すなわち、実施形態の器具本体３では、配線１９の回動に対し、連続的に変化する付勢力が、或る回動位置において急激に変化する。
【００５２】
実施形態に係る器具本体３では、第１バネ１５ａおよび第２バネ１５ｂによって、配線１９に付勢力を発生させるタイミングが異なっている。実施形態に係る器具本体３では、配線１９の回動量に対して付勢力が段階的に変化するように、第１孔１４ａおよび第２孔１８ｆの位置が調整されている。
【００５３】
具体的には、第１バネ１５ａの短腕部１５ｅが挿入される第１孔１４ａと、第２バネ１５ｂの短腕部１５ｇが挿入される第２孔１８ｆとは、例えば、コイル１５ｄ、１５ｆの軸方向から見た場合に、図７に示すように、一部のみが重なるように形成される。図７は、バネ部１５による付勢力の発生状態を説明する概略図である。
【００５４】
第１孔１４ａの上方側の端部１４ａ１は、第２孔１８ｆの上方側の端部１８ｆ１よりも上方（具体的には、図７中、Ｐ方向）に位置する。また、第１孔１４ａの下方側の端部１４ａ２は、第２孔１８ｆの下方側の端部１８ｆ２よりも上方に位置する。
【００５５】
このように、第１孔１４ａにおける第１バネ１５ａの短腕部１５ｅの回動範囲と、第２孔１８ｆにおける第２バネ１５ｂの短腕部１５ｇの回動範囲とが異なっている。
【００５６】
これにより、バネ部１５および配線１９の回動範囲は、第１バネ１５ａおよび第２バネ１５ｂによって付勢力が発生しない第１領域Ａと、一方のバネ１５ａ、１５ｂのみによって付勢力が発生する第２領域Ｂ１、Ｂ２と、第１バネ１５ａおよび第２バネ１５ｂによって付勢力が発生する第３領域Ｃ１、Ｃ２とに区分される。
【００５７】
第１領域Ａは、第１孔１４ａと第２孔１８ｆとが重なる領域である。第１領域Ａでは、配線１９の回動に伴うバネ部１５の長腕部１５ｈ、１５ｉの回動に対し、第１バネ１５ａの短腕部１５ｅは、第１孔１４ａの上方側の端部１４ａ１および下方側の端部１４ａ２に係合せずに第１孔１４ａ内を回動する。また、第２バネ１５ｂは、第２孔１８ｆの上方側の端部１８ｆ１および下方側の端部１８ｆ２に係合せずに第２孔１８ｆ内を回動する。
【００５８】
そのため、第１領域Ａでは、第１バネ１５ａおよび第２バネ１５ｂによって配線１９を付勢する付勢力は発生しない。
【００５９】
第２領域Ｂ１、Ｂ２は、第１孔１４ａと第２孔１８ｆとが重ならない領域である。第２領域Ｂ１は、配線１９の回動によりバネ部１５の長腕部１５ｈ、１５ｉが第１領域Ａよりも下方（具体的には、図７中、Ｐ方向）に回動する領域である。一方、第２領域Ｂ２は、配線１９の回動によりバネ部１５の長腕部１５ｈ、１５ｉが第１領域Ａよりも上方（具体的には、図７中、Ｑ方向）に回動する領域である。
【００６０】
第２領域Ｂ１では、バネ部１５の長腕部１５ｈ、１５ｉの回動に対し、第２バネ１５ｂの短腕部１５ｇは、図７において実線で示すように、第２孔１８ｆの上方側の端部１８ｆ１に係合する。一方、第１バネ１５ａの短腕部１５ｅは、第１孔１４ａの上方側の端部１４ａ１に係合せずに第１孔１４ａ内を回動する。
【００６１】
そのため、第２領域Ｂ１では、第２バネ１５ｂによって配線１９を上方側、すなわち光源ユニット２から離間する離間方向に向けて付勢する付勢力が発生する。
【００６２】
また、領域Ｂ２では、バネ部１５の長腕部１５ｈ、１５ｉの回動に対し、第１バネ１５ａの短腕部１５ｅは、図７において実線で示すように、第１孔１４ａの下方側の端部１４ａ２に係合する。一方、第２バネ１５ｂの短腕部１５ｇは、第２孔１８ｆの下方側の端部１８ｆ２に係合せずに第２孔１８ｆ内を回動する。
【００６３】
そのため、第２領域Ｂ２では、第１バネ１５ａによって配線１９を光源ユニット２側に向けて付勢する付勢力が発生する。
【００６４】
第３領域Ｃ１、Ｃ２は、第１孔１４ａと第２孔１８ｆとが重ならない領域である。第３領域Ｃ１は、配線１９の回動によりバネ部１５の長腕部１５ｈ、１５ｉが第２領域Ｂ１よりも下方（具体的には、図７中、Ｐ方向）に回動する領域である。一方、第３領域Ｃ２は、配線１９の回動によりバネ部１５の長腕部１５ｈ、１５ｉが第２領域Ｂ２よりも上方（具体的には、図７中、Ｑ方向）に回動する領域である。
【００６５】
領域Ｃ１では、バネ部１５の長腕部１５ｈ、１５ｉの回動に対し、第２バネ１５ｂの短腕部１５ｇは、図７において実線で示すように、第２孔１８ｆの上方側の端部１８ｆ１に係合する。また、第１バネ１５ａの短腕部１５ｅは、図７において破線で示すように、第１孔１４ａの上方側の端部１４ａ１に係合する。
【００６６】
そのため、第３領域Ｃ１では、第１バネ１５ａおよび第２バネ１５ｂによって配線１９を離間方向に向けて付勢する付勢力が発生する。
【００６７】
また、第３領域Ｃ２では、バネ部１５の長腕部１５ｈ、１５ｉの回動に対し、第１バネ１５ａの短腕部１５ｅは、図７において実線で示すように、第１孔１４ａの下方側の端部１４ａ２に係合する。また、第２バネ１５ｂの短腕部１５ｇは、図７において破線で示すように、第２孔１８ｆの下方側の端部１８ｆ２に係合する。
【００６８】
そのため、第３領域Ｃ２では、第１バネ１５ａおよび第２バネ１５ｂによって配線１９を光源ユニット２側に向けて付勢する付勢力が発生する。
【００６９】
［取り付け作業］
次に、光源ユニット２を器具本体３に取り付ける取り付け作業について説明する。
【００７０】
光源ユニット２が器具本体３に取り付けられていない状態では、配線１９は、配線１９の自重と、第２バネ１５ｂによる付勢力とが釣り合う位置に保持される。ここでは、第２バネ１５ｂの短腕部１５ｇが第２孔１８ｆの上方側の端部１８ｆ１に係合する第２領域Ｂ１となっており、第２バネ１５ｂによる付勢力が発生している。
【００７１】
照明装置１では、第１バネ１５ａおよび第２バネ１５ｂによる付勢力が発生しない第１領域Ａが設けられている。そのため、光源ユニット２が器具本体３に取り付けられていない状態では、配線１９が上方側、例えば、天板１０付近まで押し込まれることを抑制することができる。
【００７２】
そのため、例えば、図８に示すように、配線１９に設けられたコネクタ１９ａは、仕切部１１ａの挿通孔１１ｂ付近まで下がっている。従って、作業者は、配線１９を容易に下方に引き出すことができる。図８は、器具本体３の下方斜視図である。
【００７３】
このような状態から、図８の矢印で示すように、作業者が配線１９を下方に引っ張ると、配線１９が下方に引き出される。配線１９には、第２バネ１５ｂによる付勢力のみが発生しているため、作業者は、配線１９を下方に引き出すことが可能であると的確に把握しつつ、比較的小さい力で配線１９を引き出すことができる。
【００７４】
さらに、作業者が配線１９を下方に引っ張ると、配線１９の回動に伴って第１バネ１５ａの短腕部１５ｅが回動し、第１バネ１５ａの短腕部１５ｅが第１孔１４ａの上方側の端部１４ａ１に係合する第３領域Ｃ１となる。そのため、第２バネ１５ｂによる付勢力に加え、第１バネ１５ａによる付勢力が発生する。すなわち、配線１９には、第１バネ１５ａによっても離間方向に向けた付勢力が発生する。
【００７５】
これにより、作業者は、付勢力の急激な変化によって、配線１９の引き出し位置が下限位置に近づいたことを認識することができる。
【００７６】
作業者により光源部４の差し込み口に配線１９のコネクタ１９ａが挿入された後に、ユニット固定部１２に対し、光源ユニット２の位置合わせが行われる。その後、作業者が、光源ユニット２を上方に持ち上げた場合には、配線１９は、第１バネ１５ａおよび第２バネ１５ｂによって離間方向に向けて付勢されている。
【００７７】
引き出された配線１９は、比較的大きい付勢力によって離間方向に付勢され、配線１９は、第４室２０ｄ内に収容される。そのため、配線１９が、例えば、仕切部１１ａと光源ユニット２との間に挟まることや、他の部材に当接することを抑制することができる。
【００７８】
また、光源ユニット２がさらに上方に持ち上げられると、配線１９の回動に伴い、第１バネ１５ａの短腕部１５ｅが第１孔１４ａの上方側の端部１４ａ１に係合しない第２領域Ｂ１となる。そのため、配線１９は、第２バネ１５ｂによる付勢力によって離間方向に付勢される。
【００７９】
そして、光源ユニット２がさらに上方に持ち上げられると、配線１９の回動に伴い、第２バネ１５ｂの短腕部１５ｇが第２孔１８ｆの上方側の端部１８ｆ１に係合しない第１領域Ａとなる。そのため、配線１９は、バネ部１５によって付勢されない。
【００８０】
このように、バネ部１５による付勢力が発生しなくなる所定位置よりも上方側、すなわち離間方向の第１領域Ａになり、光源ユニット２が上方に持ち上げられると、バネ部１５は、配線１９によって離間方向に押し込まれる。なお、所定位置は、第２バネ１５ｂの短腕部１５ｇが第２孔１８ｆの上方側の端部１８ｆ１に係合しなくなる位置である。
【００８１】
そのため、配線１９は、所定位置よりも天板１０側へ自由に屈曲可能となる。従って、例えば、配線１９が、仕切部１１ａと光源ユニット２との間に挟まることや、他の部材に当接することを抑制することができる。
【００８２】
また、配線１９がバネ部１５によって離間方向に付勢されないため、コネクタ１９ａが光源部４から外れることを抑制することができる。また、配線１９が天板１０に当接することを抑制し、配線１９の劣化を抑制することができる。
【００８３】
その後、ユニット固定部１２の爪部１２ｂが、取付部６の係合溝６ｂに係合されることで、光源ユニット２が器具本体３に取り付けられる。
【００８４】
なお、光源ユニット２を持ち上げた場合には、配線１９が、例えば、図３において一点鎖線で示すように回動し、第２領域Ｂ２や第３領域Ｃ２（図７参照）となることがある。このような場合には、第１バネ１５ａや、第２バネ１５ｂによって配線１９を下方、すなわち光源ユニット２側に向けて付勢する付勢力が発生する。そのため、配線１９が天板１０に当接することを抑制し、配線１９の劣化を抑制することができる。
【００８５】
上述してきたように、実施形態に係る照明装置１では、バネ部１５は、器具本体３に対して配線１９を回動可能に保持するとともに、所定位置までは配線１９を離間方向に付勢する。また、バネ部１５は、所定位置よりも離間方向では、配線１９によって離間方向に押し込まれる。具体的には、実施形態に係る照明装置１では、バネ部１５による付勢力が発生しない第１領域Ａが所定位置よりも離間方向に設けられる。
【００８６】
これにより、実施形態に係る照明装置１は、光源ユニット２を器具本体３に取り付ける場合に、配線１９が、例えば、光源ユニット２と器具本体３との間に挟まることや、他の部材に当接することを抑制することができる。そのため、作業者は、光源ユニット２を器具本体３に容易に取り付けることができる。また、配線１９の劣化を抑制することができる。
【００８７】
また、実施形態に係る照明装置１は、第１領域Ａを設けることで、光源ユニット２が取り付けられていない状態では、配線１９が上方側、例えば、天板１０付近に保持されることを抑制することができる。
【００８８】
そのため、作業者は、配線１９を容易にアクセスし、配線１９を容易に引き出すことができる。また、光源ユニット２を器具本体３に取り付ける場合や、光源ユニット２を器具本体３に取り付けた後に、配線１９が離間方向に付勢されることを抑制し、コネクタ１９ａが光源部４から抜けることを抑制することができる。
【００８９】
また、実施形態に係る照明装置１は、所定位置よりも離間方向である第２領域Ｂ２または第３領域Ｃ２では、バネ部１５によって配線１９を光源ユニット２側に付勢する付勢力を発生させる。
【００９０】
これにより、配線１９が、天板１０に当接することを抑制し、配線１９の劣化を抑制することができる。また、光源ユニット２を器具本体３に取り付ける場合や、光源ユニット２を器具本体３に取り付けた後に、配線１９が離間方向に付勢されることを抑制し、コネクタ１９ａが光源ユニット２から抜けることを抑制することができる。
【００９１】
また、実施形態に係る照明装置１では、第１バネ１５ａおよび第２バネ１５ｂによって、配線１９に付勢力を発生させるタイミングが異なっており、配線１９の回動量に応じて配線１９に段階的に付勢力が発生する。具体的には、第１孔１４ａに挿入される第１バネ１５ａの短腕部１５ｅと、第２孔１８ｆに挿入される第２バネ１５ｂの短腕部１５ｇの回動範囲が異なっている。
【００９２】
これにより、例えば、作業者が配線１９を引き出す場合には、引き出し量が大きくなると、配線１９にかかる付勢力は、第１バネ１５ａのみによる付勢力から、第１バネ１５ａおよび第２バネ１５ｂによる付勢力に変更される。そのため、作業者は、配線１９の引き出し位置が、下限位置まで近づいたことを認識することができる。
【００９３】
また、光源ユニット２を持ち上げて器具本体３に取り付ける場合に、第１バネ１５ａおよび第２バネ１５ｂによって発生する付勢力で配線１９を離間方向に付勢する。そのため、配線１９が、例えば、光源ユニット２と器具本体３との間に挟まることや、他の部材に当接することを抑制することができる。
【００９４】
また、光源ユニット２を器具本体３に取り付ける位置付近まで持ち上げた場合には、第２バネ１５ｂによって発生する付勢力で配線１９を離間方向に付勢する。そのため、配線１９が離間方向に大きい付勢力により付勢されることを抑制し、コネクタ１９ａが光源部４から抜けることを抑制することができる。
【００９５】
（変形例）
上記実施形態では、第１孔１４ａおよび第２孔１８ｆの位置を調整することで、段階的に配線１９に付勢力を発生させたが、これに限られることはない。変形例に係る照明装置１は、第１バネ１５ａの短腕部１５ｅと、第２バネ１５ｂの短腕部１５ｇとの位置を調整することで、段階的に配線１９に付勢力を発生させてもよい。また、変形例に係る照明装置１は、第１孔１４ａおよび第２孔１８ｆの位置と、第１バネ１５ａの短腕部１５ｅおよび第２バネ１５ｂの短腕部１５ｇの位置を調整することで、段階的に配線１９に付勢力を発生させてもよい。また、変形例に係る照明装置１は、硬さが異なる第１バネ１５ａおよび第２バネ１５ｂを用いてもよい。
【００９６】
また、変形例に係る照明装置１は、バネ部１５として、第１バネ１５ａおよび第２バネ１５ｂを独立して設けてもよい。また、変形例に係る照明装置１は、バネ部１５として、板バネを用いてもよい。板バネを用いる場合には、例えば、複数の板バネを固定する箇所を調整し、非対称とすることで、上記実施形態と同様の効果を得ることができる。また、硬さが異なる板バネが用いられてもよい。
【００９７】
また、変形例に係る照明装置１は、仕切板１４や、第１バネ支持部１６や、第２バネ支持部１７などを異なる部材で構成してもよい。
【００９８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９９】
１      照明装置
２      光源ユニット
３      器具本体
１４ａ  第１孔
１５    バネ部
１５ａ  第１バネ
１５ｂ  第２バネ
１５ｅ  短腕部
１５ｇ  短腕部
１５ｈ  長腕部
１５ｉ  長腕部
１６    第１バネ支持部
１７    第２バネ支持部
１８ｆ  第２孔
１９    配線
１９ａ  コネクタ
【図１】
2019061807.tif 000003
【図２】
2019061807.tif 000004
【図３】
2019061807.tif 000005
【図４】
2019061807.tif 000006
【図５】
2019061807.tif 000007
【図６】
2019061807.tif 000008
【図７】
2019061807.tif 000009
【図８】
2019061807.tif 000010